(57)【特許請求の範囲】
【請求項１】
個々のバッテリパックを識別する固有のバッテリ識別情報が付与されたバッテリパックが装着され、装着されたバッテリパックにより供給される電力で作動する端末装置であって、装着されているバッテリパックから前記バッテリ識別情報を取得する取得手段、管理装置と通信をする第１通信手段、自端末装置と前記管理装置とを特定の通信相手として括付ける第１括付け手段、及び、括付けされた管理装置から送信された情報の表示を行う表示制御手段を備える複数の端末装置と、
前記端末装置と通信をする第２通信手段、及び、自管理装置と前記端末装置とを特定の通信相手として括付ける第２括付け手段を備える管理装置と、
を備えるバッテリ管理システムであって、
前記複数の端末装置のうち、少なくとも１台の端末装置は、
装着されたバッテリパックの膨張を検知する検知手段と、
前記検知手段により所定値以上の膨張が検知されたことを条件に、当該バッテリパックのバッテリ識別情報を含む第１情報を、括付けされた前記管理装置に対して通知する第１通知手段とを備え、
前記複数の端末装置のうち、前記検知手段を備えない端末装置は、
所定のタイミングで、装着されているバッテリパックのバッテリ識別情報を含む第２情報を、括付けされた前記管理装置に対して通知する第２通知手段を備え、
前記管理装置は、
括付けされた前記端末装置から受信した第１情報を、所定の記憶手段に記録する記録手段と、
括付けされた前記端末装置から受信した第２情報で示されるバッテリ識別情報が、前記第１情報として前記記憶手段に登録済みである場合、前記受信した第２情報の通知元である前記端末装置に対して警告情報を通知する警告通知手段とを備え、
前記端末装置では、
括付けされた前記管理装置から前記警告情報を受信した場合、前記表示制御手段は、受信した警告情報に基づく情報を表示すること
を特徴とするバッテリ管理システム。
【請求項２】
請求項１に記載のバッテリ管理システムにおいて、
前記端末装置では、
前記第２通知手段は、バッテリパックの装着が行われた後、最初に前記管理装置との括付けが成立したことを条件に、前記第２情報を括付けされた前記管理装置に通知すること
を特徴とするバッテリ管理システム。
【発明の詳細な説明】
【技術分野】
【０００１】
本発明は、バッテリパックを電源にして作動する複数の端末装置が存在するネットワークシステムにおいて、各端末装置がバッテリパックの劣化を認識する技術に関する。
【背景技術】
【０００２】
従来、カラオケサービスを提供する機器類として、カラオケ楽曲等のコンテンツを再生するカラオケ装置と、カラオケ装置を操作するためのリモコン端末とを備えたカラオケネットワークシステムが普及している。この種のリモコン端末では、一般的に、リチウムイオン電池等の二次電池を内蔵した着脱可能なバッテリパックが電源として用いられる。
【０００３】
このようなバッテリパックは、充放電の繰返しによる寿命の到来や劣化により、パッケージが膨張することがある。バッテリパックが過度に膨張することで、それを使用する機器の故障を招いたり、安全性が低下するおそれがあった。そこで、バッテリパックの膨張を検知するために、バッテリパック自体にセンサを設ける技術が開発されている（例えば、特許文献１参照）。
【先行技術文献】
【特許文献】
【０００４】
【特許文献１】特願２００９−７６２６５号公報
【発明の概要】
【発明が解決しようとする課題】
【０００５】
上記先行技術のように、個々のバッテリパックごとに膨張を検知するためのセンサを備える場合、バッテリパックの単価が高くなる。そのため、多数のリモコン端末を使用する環境においては、耐用期間を経過したバッテリパックの交換を伴う長期的なランニングコストが増大するといった不都合がある。そこで、バッテリパック自体に膨張を検出するセンサを設ける代わりに、バッテリパックが装着されるリモコン端末側にバッテリパックの膨張を検出するセンサを設けることで、バッテリパック交換に係るコストを低減することが考えられる。
【０００６】
しかしながら、バッテリパックの膨張を検出するセンサを備えない従来のリモコン端末が、センサを備えるリモコン端末に完全に代替される過渡期において、次のような問題がある。すなわち、バッテリパックの膨張を検出するセンサを備えるリモコン端末と、センサを備えないリモコン端末とが混在する環境において、センサを備えるリモコン端末において膨張が検出された劣化バッテリパックが、センサを備えないリモコン端末に入替えられる可能性がある。そのような場合、劣化バッテリパックが入替えられた先のリモコン端末において、バッテリパックの劣化を判断することができず、不適切な使用が継続されるおそれがある。
【０００７】
本発明は、上記問題を解決するためになされたものである。本発明は、バッテリパックの膨張を自ら検出できる端末と、検出できない端末とが混在するシステムにおいて、どの端末においても膨張したバッテリパックを判別できるようにする技術を提供することを目的とする。
【課題を解決するための手段】
【０００８】
本発明のバッテリ管理システムは、個々のバッテリパックを識別する固有のバッテリ識別情報が付与されたバッテリパックが装着され、装着されたバッテリパックにより供給される電力で作動する複数の端末装置と、管理装置とを備える。
【０００９】
端末装置は、取得手段と、第１通信手段と、第１括付け手段と、表示制御手段とを備える。取得手段は、装着されているバッテリパックからバッテリ識別情報を取得する。第１通信手段は、管理装置と通信を行う。第１括付け手段は、自端末装置と管理装置とを特定の通信相手として括付ける。表示制御手段は、括付けされた管理装置から送信された情報の表示を行う。また、管理装置は、端末装置と通信をする第２通信手段、及び、自管理装置と端末装置とを特定の通信相手として括付ける第２括付け手段を備える。
【００１０】
さらに、バッテリ管理システムが備える複数の端末装置のうち、少なくとも１台の端末装置は、検知手段と、第１通知手段とを備える。検知手段は、装着されたバッテリパックの膨張を検知する。第１通知手段は、検知手段により所定値以上の膨張が検知されたことを条件に、当該バッテリパックのバッテリ識別情報を含む第１情報を、括付けされた管理装置に対して通知する。一方、バッテリ管理システムが備える複数の端末装置のうち、検知手段を備えない端末装置は、第２通知手段を備える。第２通知手段は、所定のタイミングで、装着されているバッテリパックのバッテリ識別情報を含む第２情報を、括付けされた管理装置に対して通知する。
【００１１】
管理装置は、記録手段と、警告通知手段とを備える。記録手段は、括付けされた端末装置から受信した第１情報を、所定の記憶手段に記録する。なお、第１情報を記憶する記憶手段は、管理装置が備えるものであってもよいし、管理装置とは別体の記憶装置（例えば、サーバ）であってもよい。警告通知手段は、括付けされた端末装置から受信した第２情報で示されるバッテリ識別情報が、第１情報として記憶手段に登録済みである場合、受信した第２情報の通知元である端末装置に対して警告情報を通知する。これに対し、端末装置では、括付けされた管理装置から警告情報を受信した場合、表示制御手段が、受信した警告情報に基づく情報を表示する。
【００１２】
本発明によれば、検知手段を備える端末装置において膨張が検知されたバッテリパックに関するバッテリ識別情報を、管理装置側に登録することができる。そして、管理装置側に登録されたバッテリパックが、検知手段を備えない端末装置に使い回しで装着された場合、当該端末装置は、管理装置からの警告情報に基づいて警告を表示できる。このとき、管理装置と端末装置とが、特定の通信相手として括付けされているので、管理装置は、端末装置と、その端末装置に装着されたバッテリパックの識別情報との対応付けをすることができる。このように、劣化による膨張が検知されたバッテリパックの情報を、管理装置側で管理することで、バッテリパックの膨張を自ら検出できる端末と、検出できない端末とが混在するシステムにおいて、どの端末装置においても膨張したバッテリパックを判別することができる。
【００１３】
なお、端末装置が、装着されたバッテリパックに関する第２情報の通知を管理装置に対して行うタイミングとしては、請求項２に記載のようにすることが考えられる。すなわち、端末装置は、バッテリパックの装着が行われた後、最初に管理装置との括付けが成立したことを条件に、第２情報を括付けされた管理装置に通知する。このようにすることで、バッテリパックの交換後、管理装置に対して早期に第２情報が通知されることになる。これにより、劣化により膨張したバッテリパックが使い回しされた場合に、端末装置において早期に警告を表示することができ、劣化したバッテリパックが長時間使用されることを防止できる。
【図面の簡単な説明】
【００１６】
【図１】カラオケネットワークシステムの構成を示すブロック図。
【図２】リモコン端末のバッテリ収納部の構造を示す断面図。
【図３】リモコン端末（電池チェック機能あり）が実行する処理のフローチャート。
【図４】リモコン端末（電池チェック機能なし）が実行する処理のフローチャート。
【図５】カラオケ装置が実行する処理のフローチャート。
【図６】データ構造を示す説明図。
【発明を実施するための形態】
【００１７】
以下、本発明の一実施形態を図面に基づいて説明する。なお、本発明は下記の実施形態に限定されるものではなく様々な態様にて実施することが可能である。
［カラオケネットワークシステム１の構成の説明］
図１に示すように、カラオケネットワークシステム１は、カラオケ店舗に設置されるカラオケ装置１０と、カラオケ装置１０を遠隔操作するための複数のリモコン端末３０ａ，３０ｂと、外部のホストサーバ４０とを備える。カラオケ装置１０とホストサーバ４０とが、インターネットを介して通信可能に接続される。また、カラオケ装置１０とリモコン端末３０ａ，３０ｂとが、カラオケ店舗に設置されるＬＡＮを介して通信可能に接続される。なお、図１では、理解を容易にするため、１つのカラオケ店舗にカラオケ装置１０及びリモコン端末３０ａ，３０ｂを１つずつ図示しているが、これより多くのカラオケ店舗内のＬＡＮがインターネットに接続されていてもよいし、１つのカラオケ店舗に多数のカラオケ装置１０及びリモコン端末３０ａ，３０ｂが設置されていてもよい。なお、インターネットとＬＡＮとは図示しないルータで接続されている。また、ＬＡＮは有線方式であっても無線方式であってもよい。
【００１８】
カラオケ装置１０は、制御部１１、記憶部１２、楽曲再生部１３、音声制御部１４、映像制御部１５、操作部１６、通信部１７等を備える。このカラオケ装置１０は、カラオケ楽曲の再生等の各種カラオケサービスに関する機能の他に、リモコン端末３０ａ，３０ｂに用いられるバッテリパック５０の管理に関する機能を有する。制御部１１は、ＣＰＵ，ＲＯＭ，ＲＡＭ等を備える情報処理デバイスであり、装置全体の制御を司る。カラオケ装置１０の主な機能として、制御部１１は、ユーザからリクエストされたカラオケ楽曲に対応する楽曲データの再生を楽曲再生部１３に実行させる。また、バッテリパック５０の管理に関する機能として、制御部１１は、電池チェック機能を有するリモコン端末３０ａから、劣化したバッテリパック５０に関する第１情報を受信し、ホストサーバ４０の電池データベースに登録する。また、各リモコン端末３０ａ，３０ｂからの問合わせに対し、電池データベースに蓄積されている第１情報に基づく通知情報を送信する。これら一連の処理についての詳細な説明は後述する。
【００１９】
記憶部１２は、ハードディスクドライブ等の記憶装置である。記憶部１２は、カラオケ楽曲を演奏するための楽曲データを多数収録したカラオケデータベースや、カラオケ装置１０の動作を制御するプログラム等を記憶する。楽曲再生部１３は、記憶部１２に記憶されている楽曲データに基づいて楽曲の再生を行う。音声制御部１４は、音声の入出力を制御するデバイスである。音声制御部１４は、カラオケ装置１０に接続されたマイク（図示省略）を介してユーザの歌唱音を取得する。また、音声制御部１４は、楽曲再生部１３によって再生される楽曲の音源信号と、マイクから入力される歌唱音の音源信号とを、カラオケ装置１０に接続されたスピーカ（図示省略）に出力する。
【００２０】
映像制御部１５は、制御部１１から送られてくる映像データに基づく映像の再生及び出力を行う。映像制御部１５は、再生した映像をカラオケ装置１０に接続されたモニタ（図示省略）に表示させる。操作部１６は、カラオケ装置１０に対する各種操作を行うための入力装置である。通信部１７は、カラオケ装置１０をＬＡＮに接続して通信を行うための通信インタフェースである。
【００２１】
リモコン端末３０ａ，３０ｂは、カラオケ装置１０を遠隔操作するための携帯情報端末である。これらのリモコン端末３０ａ，３０ｂは、二次電池を内蔵した着脱可能なバッテリパック５０を電源として稼働する。このうち、リモコン端末３０ａは、装着されているバッテリパック５０の劣化を自ら検出する電池チェック機能を有する。そのためのセンサとして、リモコン端末３０ａには、装着されているバッテリパック５０の劣化に伴う膨張を検知するための圧力センサ３７が内蔵されている。一方、リモコン端末３０ｂには、圧力センサ３７が実装されておらず、装着されているバッテリパック５０の劣化を自ら検出する電池チェック機能を持たない。
【００２２】
本実施形態のカラオケネットワークシステム１では、１つのカラオケ店舗において、電池チェック機能を有するリモコン端末３０ａと、電池チェック機能を持たないリモコン端末３０ｂとの２種類の端末が混在しているものとする。リモコン端末３０ａ，３０ｂは、共通の構成として、制御部３１、操作部３２、記憶部３３、表示部３４、通信部３５、及び、ＩＤ読出部３６等を備える。以下、リモコン端末３０ａ，３０ｂを特に区別しない説明については、単にリモコン端末３０と表記する。
【００２３】
制御部３１は、ＣＰＵ，ＲＯＭ，ＲＡＭ等を備える情報処理デバイスであり、装置全体の制御を司る。操作部３２は、タッチパネルやキースイッチ等からなる入力デバイスである。記憶部３３は、リモコン端末３０が動作するためのプログラムやデータ等の各種情報を記憶する記憶装置である。表示部３４は、各種情報の表示を行うカラー液晶パネル等の表示装置である。
【００２４】
通信部３５は、ＬＡＮ及びインターネットを介した通信を制御する通信インタフェースである。リモコン端末３０によってカラオケ装置１０を操作する際の通信は、通信部３５を介してＬＡＮ経由で行われる。なお、カラオケ装置１０をリモコン端末３０で操作する前提として、操作対象のカラオケ装置１０とリモコン端末３０とを特定の通信相手として対応付ける、いわゆる「括付け」が行われる。括付けは、リモコン端末３０の使用が開始される事前に、操作対象となるカラオケ装置１０とリモコン端末３０との間で、各自の識別情報（例えば、ＩＰアドレスや製造番号）を通信によって互いに通知し、特定の通信相手として登録することで成立する。
【００２５】
ＩＤ読出部３６は、リモコン端末３０に装着された状態のバッテリパック５０から、そのバッテリパック５０に付与されている識別情報（以下、バッテリＩＤと称する）を読出す通信回路である。電池チェック機能を有するリモコン端末３０ａのみが備える圧力センサ３７は、リモコン端末３０ａに装着された状態のバッテリパック５０の劣化に伴う膨張によって生じる押圧力を検知するセンサである。
【００２６】
リモコン端末３０ａは、装着されているバッテリパック５０の劣化（膨張）を検知した場合、そのバッテリパック５０の劣化に関する第１情報を、括付け相手のカラオケ装置１０に通知する。一方、リモコン端末３０ｂは、装着されているバッテリパック５０に関する第２情報を括付け相手のカラオケ装置１０に通知する。そして、カラオケ装置１０からバッテリパック５０の劣化を示す通知情報を受信した場合、リモコン端末３０ｂは、劣化したバッテリパック５０が装着されていることを警告する情報を、表示部３４に表示する。これらの一連の処理についての詳細な説明は後述する。
【００２７】
バッテリパック５０は、リチウムイオン電池をパッケージに内蔵した着脱可能な電池ユニットである。バッテリパック５０は、固有のバッテリＩＤを記憶したメモリと、このメモリに記憶されているバッテリＩＤを外部から読出すための通信回路とからなるＩＤ記憶部５１を備える。
【００２８】
ホストサーバ４０は、周知のサーバ装置からなり、コンピュータシステムを構成している。このホストサーバ４０は、制御部４１、各種情報を記憶する記憶部４２、インターネットを介した通信を制御する通信部４３等を備える。制御部４１は、ＣＰＵやＲＯＭ、ＲＡＭ等を中心に構成された情報処理デバイスであり、装置全体の制御を司る。制御部４１は、記憶部４２から読込んだプログラムやデータに基づいて種々の処理を実行する。
【００２９】
ホストサーバ４０は、インターネットを介して管理下のカラオケ装置１０から送信された、バッテリパック５０の劣化に関する第１情報を蓄積する電池データベースを記憶部４２に備える。電池データベースに蓄積された第１情報は、各カラオケ装置１０がインターネットを介して参照できるようになっている。
【００３０】
［バッテリ収納部の構造の説明］
圧力センサ３７を備えるリモコン端末３０ａのバッテリ収納部の構造について、図２を参照しながら説明する。
【００３１】
図２に示すように、リモコン端末３０ａの筐体３９には、バッテリパック５０を内部に収納するための窪みによって形成されたバッテリ収納部３８が設けられている。また、バッテリ収納部３８の最上部における電池の出し入れ口となる開口には、バッテリ収納部３８内に収納されたバッテリパック５０を覆うための開閉自在な蓋３９ａが、筐体３９の外装面と面一になるように装着されている。この蓋３９ａによって、バッテリパック５０は厚み方向への移動が制限されている。さらに、バッテリ収納部３８の最下部におけるバッテリパック５０が積置される底面には、圧力センサ３７が取付けられている。つまり、圧力センサ３７の取付け位置は、バッテリ収納部３８の出し入れ口から見て、バッテリパック５０が収まる位置を挟んだ奥側になっている。これにより、圧力センサ３７は、バッテリ収納部３８に収納された状態のバッテリパック５０が厚み方向に膨張したときの押圧力を検知することができる。
【００３２】
また、バッテリパック５０がバッテリ収納部３８に収納された状態のときに、リモコン端末３０ａ側の端子とバッテリパック５０側の端子とが接触することで、ＩＤ読出部３６がＩＤ記憶部５１からバッテリＩＤを読出すことができるようになっている（リモコン端末３０ｂについても同様）。
【００３３】
［リモコン端末３０ａ（センサあり）が実行する処理の説明］
電池チェック機能を有するリモコン端末３０ａの制御部３１が実行する処理の手順について、図３のフローチャートを参照しながら説明する。この処理は、リモコン端末３０ａにおいて、バッテリパック５０の装着が行われた後、最初にカラオケ装置１０との括付けが成立したことを条件に開始される。
【００３４】
Ｓ１００では、制御部３１は、装着されたバッテリパック５０からバッテリＩＤを読出してメモリに記憶する。つぎのＳ１０２では、制御部３１は、圧力センサ３７により装着されているバッテリパック５０から加わる押圧力を検知する。Ｓ１０４では、制御部３１は、圧力センサ３７により検知したバッテリパック５０による押圧力が、所定の基準値以上であるか否かを判定する。バッテリパック５０による押圧力が基準値以上である場合（Ｓ１０４：ＹＥＳ）、制御部３１はＳ１０６に進む。
【００３５】
Ｓ１０６では、制御部３１は、メモリに記憶しているバッテリＩＤに、バッテリパック５０が劣化していることを示す属性情報（劣化）をセットして第１情報を作成する。そして、Ｓ１０８では、制御部３１は、Ｓ１０６において作成した第１情報（属性情報あり）と、自リモコン端末３０ａの識別情報である端末ＩＤとを対応付けて、括付け相手のカラオケ装置１０に送信する。図６（ａ）は、前記Ｓ１０８でリモコン端末３０ａからカラオケ装置１０に送信される第１情報の構造の一例である。この第１情報には、バッテリＩＤ、劣化を示す属性情報、及び、送信元のリモコン端末３０ａの端末ＩＤが含まれる。
【００３６】
図３のフローチャートの説明に戻る。次のＳ１１８では、制御部３１は、装着されているバッテリパック５０が劣化していることを示す警告情報を、表示部３４に表示する。Ｓ１２０では、制御部３１は、処理を所定時間だけ待機するタイマ処理を実行した後、Ｓ１０２に戻る。
【００３７】
一方、Ｓ１０４において、バッテリパック５０からの押圧力が規定値未満であると判定された場合（Ｓ１０４：ＮＯ）、ループ処理の１巡目のときはＳ１１０に進み、ループ処理の２巡目以降ではＳ１２０に進む。ループ処理の１巡目において進むＳ１１０では、制御部３１は、メモリに記憶しているバッテリＩＤを含む第２情報を作成する。そして、Ｓ１１２では、制御部３１は、Ｓ１１０において作成した第２情報（属性情報なし）を、括付け相手のカラオケ装置１０に送信する。図６（ｂ）は、前記Ｓ１１２でリモコン端末３０ａからカラオケ装置１０に送信される第２情報の構造の一例である。この第２情報には、バッテリＩＤが含まれる。
【００３８】
図３のフローチャートの説明に戻る。次のＳ１１４では、制御部３１は、括付け相手のカラオケ装置１０から通知情報を受信したか否かを判定する。カラオケ装置１０から通知情報を受信した場合（Ｓ１１４：ＹＥＳ）、制御部３１はＳ１１６に進む。一方、カラオケ装置１０から通知情報を受信しなかった場合（Ｓ１１４：ＮＯ）、制御部３１はＳ１２０に進む。
【００３９】
カラオケ装置１０から通知情報を受信した場合に進むＳ１１６では、受信した通知情報に「劣化」を示す属性情報が含まれているか否かを判定する。受信した通知情報に「劣化」を示す属性情報が含まれている場合（Ｓ１１６：ＹＥＳ）、制御部３１はＳ１１８に進む。一方、受信した通知情報に「劣化」を示す属性情報が含まれていない場合（Ｓ１１６：ＮＯ）、制御部３１はＳ１２０に進む。
【００４０】
受信した通知情報に「劣化」を示す属性情報が含まれている場合に進むＳ１１８では、制御部３１は、装着されているバッテリパック５０が劣化していることを示す警告情報を、表示部３４に表示する。そして、Ｓ１２０では、制御部３１は、処理を所定時間だけ待機するタイマ処理を実行した後、Ｓ１０２に戻る。
【００４１】
［リモコン端末３０ｂ（センサなし）が実行する処理の説明］
電池チェック機能を持たないリモコン端末３０ｂの制御部３１が実行する処理の手順について、図４のフローチャートを参照しながら説明する。この処理は、リモコン端末３０ｂにおいて、バッテリパック５０の装着が行われた後、最初にカラオケ装置１０との括付けが成立したことを条件に開始される。
【００４２】
Ｓ２００では、制御部３１は、装着されたバッテリパック５０からバッテリＩＤを読出してメモリに記憶する。次のＳ２０２では、制御部３１は、メモリに記憶しているバッテリＩＤを含む第２情報を作成する。そして、Ｓ２０４では、制御部３１は、Ｓ２０２において作成した第２情報（属性情報なし）を、括付け相手のカラオケ装置１０に送信する。図６（ｂ）は、前記Ｓ２０４でリモコン端末３０ｂからカラオケ装置１０に送信される第２情報の構造の一例である。この第２情報には、バッテリＩＤが含まれる。
【００４３】
図４のフローチャートの説明に戻る。次のＳ２０６では、制御部３１は、括付け相手のカラオケ装置１０から通知情報を受信したか否かを判定する。カラオケ装置１０から通知情報を受信した場合（Ｓ２０６：ＹＥＳ）、制御部３１はＳ２０８に進む。一方、カラオケ装置１０から通知情報を受信しなかった場合（Ｓ２０６：ＮＯ）、制御部３１は本処理を終了する。
【００４４】
カラオケ装置１０から通知情報を受信した場合に進むＳ２０８では、受信した通知情報に「劣化」を示す属性情報が含まれているか否かを判定する。なお、ここでは、カラオケ装置１０から「劣化」示す属性情報が含まれる通知情報、又は、電池チェック機能を有する他のリモコン端末３０ａの端末ＩＤが含まれる通知情報の何れかが送信されてくるようになっている。受信した通知情報に「劣化」を示す属性情報が含まれている場合（Ｓ２０８：ＹＥＳ）、制御部３１はＳ２１０に進む。一方、受信した通知情報に「劣化」を示す属性情報が含まれていない場合（Ｓ２０８：ＮＯ）、すなわち、通知情報に端末ＩＤが含まれている場合、制御部３１はＳ２１２に進む。
【００４５】
受信した通知情報に「劣化」を示す属性情報が含まれている場合に進むＳ２１０では、制御部３１は、装着されているバッテリパック５０が劣化していることを示す警告情報を、表示部３４に表示する。表示後、本処理を終了する。一方、受信した通知情報に「劣化」を示す属性情報が含まれていない場合に進むＳ２１２では、制御部３１は、通知情報に含まれている端末ＩＤに基づき、電池チェック機能を有する他のリモコン端末３０ａの端末ＩＤを、表示部３４に表示する。表示後、本処理を終了する。
【００４６】
［カラオケ装置１０が実行する処理の説明］
カラオケ装置１０の制御部１１が実行する処理の手順について、図５のフローチャートを参照しながら説明する。この処理は、カラオケ装置１０の稼働中に繰返し実行される処理である。
【００４７】
Ｓ３００では、制御部１１は、括付け相手のリモコン端末３０から第１情報又は第２情報を受信したか否かを判定する。リモコン端末３０から第１情報又は第２情報を受信した場合（Ｓ３００：ＹＥＳ）、制御部１１はＳ３０２に進む。一方、リモコン端末３０から第１情報又は第２情報の何れも受信していない場合（Ｓ３００：ＮＯ）、制御部１１はＳ３００の処理を繰返す。
【００４８】
リモコン端末３０から第１情報又は第２情報を受信した場合に進むＳ３０２では、制御部１１は、受信した情報が「劣化」の属性情報を含む第１情報であるか否かを判定する。受信した情報が第１情報である場合（Ｓ３０２：ＹＥＳ）、制御部１１はＳ３０４に進む。このとき受信した第１情報の構造は、図６（ａ）に示すとおりである。一方、受信した情報が「劣化」の属性情報を含まない第２情報である場合（Ｓ３０２：ＮＯ）、制御部１１はＳ３０６に進む。このとき受信した第２情報の構造は、図６（ｂ）に示すとおりである。
【００４９】
図５のフローチャート説明に戻る。受信した情報が第１情報である場合に進むＳ３０４では、制御部１１は、その第１情報を送信元の端末ＩＤと対応付けて、インターネット経由でホストサーバ４０の電池データベースに登録する。これに対し、ホストサーバ４０は、カラオケ装置１０から登録を要求された第１情報を、記憶部４２の電池データベースに記録する。Ｓ３０４の後、制御部１１はＳ３００に戻る。
【００５０】
図６（ｅ）は、ホストサーバ４０が管理する電池データベースの構造の一例である。電池データベースには、管理下の各カラオケ装置１０から送信されてきた複数の第１情報が蓄積されている。また、各第１情報には、バッテリＩＤ、劣化を示す属性情報、及び、送信元のリモコン端末３０ａの端末ＩＤが含まれている。
【００５１】
図５のフローチャートの説明に戻る。受信した情報が第２情報である場合に進むＳ３０６では、制御部１１は、受信した第２情報で示されるバッテリＩＤと同一のバッテリＩＤに関する第１情報が、ホストサーバ４０の電池データベースに登録済みであるか否かを判定する。受信した第２情報のバッテリＩＤと同一のバッテリＩＤに関する第１情報が、電池データベースに登録済みである場合（Ｓ３０６：ＹＥＳ）、制御部１１はＳ３０８に進む。一方、受信した第２情報のバッテリＩＤと同一のバッテリＩＤに関する第１情報が、電池データベースに存在しない場合（Ｓ３０６：ＮＯ）、制御部１１はＳ３１２に進む。
【００５２】
受信した第２情報のバッテリＩＤと同一のバッテリＩＤに関する第１情報が、電池データベースに登録済みである場合に進むＳ３０８では、制御部１１は、電池データベースから、そのバッテリＩＤに関する登録済みの第１情報をインターネット経由で取得する。そして、Ｓ３１０では、制御部１１は、Ｓ３０８で取得した第１情報に含まれるバッテリＩＤ及び「劣化」の属性情報を含む通知情報を、前記第２情報の送信元のリモコン端末３０に送信する。Ｓ３１０の後、制御部１１はＳ３００に戻る。図６（ｃ）は、前記Ｓ３１０でカラオケ装置１０からリモコン端末３０に送信される通知情報１の構造の一例である。この通知情報１には、バッテリＩＤと、「劣化」を示す属性情報とが含まれる。
【００５３】
一方、受信した第２情報のバッテリＩＤと同一のバッテリＩＤに関する第１情報が、電池データベースに存在しない場合に進むＳ３１２では、制御部１１は、電池データベースに蓄積されている第１情報の中から、任意の端末ＩＤを抽出する。ここで抽出される端末ＩＤは、電池チェック機能を有するリモコン端末３０ａのものである。次のＳ３１４では、制御部１１は、受信した第２情報で示されるバッテリＩＤに、Ｓ３１２で抽出した任意の端末ＩＤを付加した通知情報を生成する。そして、Ｓ３１６では、制御部１１は、Ｓ３１４で生成した通知情報を、前記第２情報の送信元のリモコン端末３０に送信する。Ｓ３１６の後、制御部１１はＳ３００に戻る。図６（ｄ）は、前記Ｓ３１６においてカラオケ装置１０からリモコン端末３０に送信される通知情報２の構造の一例である。この通知情報２には、バッテリＩＤと、電池チェック機能を有するリモコン端末３０ａの端末ＩＤとが含まれる。
【００５４】
［効果］
上記実施形態のカラオケネットワークシステム１によれば、以下の効果を奏する。
圧力センサ３７による電池チェック機能を有するリモコン端末３０ａにおいて膨張が検知されたバッテリパック５０のバッテリＩＤを、カラオケ装置１０が管理できる。そして、電池データベースに登録されたバッテリパック５０が、圧力センサ３７を持たないリモコン端末３０ｂに使い回しで装着された場合、リモコン端末３０ｂは、カラオケ装置１０から受信する通知情報に基づいて警告を表示できる。これにより、バッテリパック５０の膨張を自ら検出できるリモコン端末３０ａと、検出できないリモコン端末３０ｂとが混在するシステムにおいて、どのリモコン端末３０においても膨張したバッテリパック５０を判別することができる。
【００５５】
また、電池チェック機能を有するリモコン端末３０ａにおいても、カラオケ装置１０から受信する通知情報に基づいて警告を表示できる。これは、自リモコン端末３０ａが備える圧力センサ３７で異常が検知されなかった場合であっても、過去に他のリモコン端末３０ａよって劣化が検知されたバッテリパック５０として電池データベースに登録されていれば、警告を表示できるようにしたものである。このようにすることで、圧力センサ３７の個体差による検出精度の違いを補完することができる。
【００５６】
電池チェック機能を持たないリモコン端末３０ｂに装着されたバッテリパック５０が、劣化したものであるかどうか不明な場合、電池チェック機能を有するリモコン端末３０ａの端末ＩＤをリモコン端末３０ｂに表示させることができる。これにより、劣化しているかどうか不明なバッテリパック５０を、どの端末に装着すれば電池チェックを行うことができるかを、ユーザが知ることができる。
【００５７】
バッテリパック５０の膨張を検知するための圧力センサ３７を、リモコン端末３０ａの筐体３９側であって、バッテリ収納部３８におけるバッテリパック５０の出し入れ口から見て、バッテリパック５０が収まる位置を挟んだ奥側に取付けるようにした。これにより、リモコン端末３０ａを手に持って操作する際に筐体３９や蓋３９ａにかかる外圧の影響を圧力センサ３７が受けにくくすることができ、検知精度を向上できる。
【００５８】
［変形例］
上述の実施形態では、カラオケ装置１０は、リモコン端末３０ａから受信した第１情報を、ホストサーバ４０が保有する電池データベースに登録する事例について説明した。これに代えて、第１情報を蓄積するための電池データベースを、カラオケ装置１０が備えるように構成してもよい。この場合、カラオケ装置１０は、リモコン端末３０ａから受信した第１情報を、自らが保有する電池データベースに登録する。また、カラオケ店舗内のＬＡＮで接続された複数のカラオケ装置１０の間で、１つの電池データベースを共有したり、各個が備える電池データベースを同期化して内容の同一性を保持するように工夫することが考えられる。
【００５９】
また、図４に示すフローチャートを実行するためのプログラムは、リモコン端末３０ｂ（センサなし）の導入当初からインストールされていなくてもよく、リモコン端末３０ａ（センサあり）が新たに導入される際にインストールされるものであってもよい。一般的なカラオケネットワークシステムでは、各装置のプログラムは、設置後にバージョンアップなどが行えることが知られている。図４に示すフローチャートのプログラムも、リモコン端末３０ａ（センサあり）の設置後に、既存のリモコン端末３０ｂ（センサなし）にインストールされて、リモコン端末３０ｂの制御部３１によって実行されればよい。プログラムのインストールは、ネットワーク経由でホストサーバ４０やカラオケ装置１０等からダウンロードによってリモコン端末３０ｂの記憶部３３に記憶されるようにすればよい。
【００６０】
［特許請求の範囲に記載の構成との対応］
実施形態のカラオケネットワークシステム１の構成と、特許請求の範囲に記載の構成との対応は次のとおりである。
【００６１】
リモコン端末３０ａ，３０ｂが端末装置に相当する。このうち、ＩＤ読出部３６が取得手段に相当する。通信部３５が第１通信手段に相当する。制御部３１及び通信部３５が、第１括付け手段、第１通知手段、及び、第２通知手段に相当する。制御部３１が表示制御手段に相当する。圧力センサ３７が検知手段に相当する。
【００６２】
カラオケ装置１０が管理装置に相当する。このうち、制御部１１が記録手段に相当する。通信部１７が第２通信手段に相当する。制御部１１及び通信部１７が、第２括付け手段及び警告通知手段に相当する。また、ホストサーバ４０の記憶部４２が、記憶手段に相当する。
【符号の説明】
【００６３】
１…カラオケネットワークシステム、１０…カラオケ装置、１１…制御部、１２…記憶部、１３…楽曲再生部、１４…音声制御部、１５…映像制御部、１６…操作部、１７…通信部、３０ａ…リモコン端末（センサあり）、３０ｂ…リモコン端末（センサなし）、３１…制御部、３２…操作部、３３…記憶部、３４…表示部、３５…通信部、３６…ＩＤ読出部、３７…圧力センサ、４０…ホストサーバ、４１…制御部、４２…記憶部、４３…通信部、５０…バッテリパック、５１…ＩＤ記憶部。
【図１】
0005578226.tif 000002
【図２】
0005578226.tif 000003
【図３】
0005578226.tif 000004
【図４】
0005578226.tif 000005
【図５】
0005578226.tif 000006
【図６】
0005578226.tif 000007